(57)【要約】【課題】本発明は液晶モジュールの薄型化、軽量化等に伴う支持フレームのねじれを防止しすることで、表示の際等に不具合が生じない液晶モジュールを提供することを目的とするものである。【解決手段】液晶パネル１０と、バックライト２０を収納・支持する枠状の支持フレーム６０と、を備えた液晶モジュール１において、支持フレーム６０に結合されるランプハウス２３、裏蓋５０を支持フレーム６０に加わる応力を相殺する結合手段、具体的には右ネジと左ネジにより支持フレーム６０に結合することで、支持フレーム６０のねじれを防止する。【選択図】        図１
2005283863.tif 000002
【特許請求の範囲】
【請求項１】
液晶パネルと、バックライトと、前記液晶パネルと前記バックライトを収納・支持する枠状支持フレームと、を備えた液晶モジュールにおいて、
前記枠状支持フレームには該枠状支持フレームに結合される部材を有しており、該部材は該枠支持フレームに加わる応力を相殺する結合手段により該枠状支持フレームに結合されていることを特徴とする液晶モジュール。
【請求項２】
液晶パネルと、バックライトと、前記液晶パネルと前記バックライトを収納・支持する枠状支持フレームと、を備えた液晶モジュールにおいて、
前記枠状支持フレームは複数の部材を互いに結合して構成されており、該部材の結合は互いに加わる応力を相殺する結合手段により結合されていることを特徴とする液晶モジュール。
【請求項３】
前記バックライトは、線状光源と、導光板と、ランプハウスを備えており、前記枠状支持フレームに結合される部材は、前記バックライトを構成するランプハウスであることを特徴とする請求項１に記載の液晶モジュール。
【請求項４】
前記バックライトは、線状光源と、導光板と、ランプハウスを備えており、前記枠状支持フレームに結合される部材は、前記ランプハウスを背面側から覆う裏蓋であることを特徴とする請求項１又は３に記載の液晶モジュール。
【請求項５】
前記結合手段は、右に回すことで締まる右ネジと、左に回すことで締まる左ネジであることを特徴とする請求項１〜４の何れか一項に記載の液晶モジュール。
【請求項６】
前記結合手段は、前記枠状支持フレームのコーナ近傍に形成されていることを特徴とする請求項１〜５の何れか一項に記載の液晶モジュール。
【請求項７】
前記液晶パネルと前記バックライトとの間には光学シートが配置されていることを特徴とする請求項１〜６の何れか一項に記載の液晶モジュール。
【発明の詳細な説明】
【技術分野】
【０００１】
本発明は液晶モジュールに関し、より詳しくは液晶モジュールを構成する液晶パネル、導光板等を支持する支持フレームに関するものである。  
【背景技術】
【０００２】
従来から用いられているＣＲＴ方式の表示装置に変わり、最近では薄型を一つの特徴とする液晶表示装置が実用化され、ＴＶ、パソコン用のモニター、携帯電話など様々な形で用いられている。
【０００３】
この液晶表示装置はＣＲＴやＰＤＰ等の自発光型の表示装置とは異なり、表示のためのパネルの他にバックライトを用いる。バックライトは大きく分けて二つのタイプがあり、一つは大型のＴＶ等に用いられる所謂直下型タイプのバックライトと、ノートパソコンのモニター等のモバイル用途に用いられる所謂サイドライトタイプのバックライトがある。
【０００４】
特許文献１はサイドライトタイプのバックライトを用いた液晶表示装置に関して記載されており、ディスプレイーユニット２１０とバックライトアセンブリ２２０は四つの部材から構成されるモールドフレーム４００により固定支持されている。このモールドフレームは四つの構成部材の各々に結合部（結合孔、結合穴）が形成されており、この結合部を介して結合ネジにより構成部材を結合している。
【０００５】
同様に特許文献２にはサイドライトタイプのバックライトを用いた液晶表示装置に関して記載されており、導光板、光学シート等を収納する筐体５１と、筐体５１との間で構成部材を保持するフレーム板５８とが示されている。この筐体５１とフレーム板５８の固定に関しては具体的に記載されてはいないが、たとえ側壁等に係合手段が設けられていたとしても、両部材の結合を強固に行うため、ネジを用いて結合するのが一般的である。
【特許文献１】特開２００１−１８３６２７号公報（図３、図４）
【特許文献２】特開２０００−１９５１２号公報（図１）
【発明の開示】
【発明が解決しようとする課題】
【０００６】
液晶モジュールはその特徴であるがゆえにますます薄型化、軽量化、狭額縁化が図られている。特にモバイル用途であるノートパソコン用のモニター等に使用される液晶モジュールはその傾向が顕著であり、液晶パネルや、バックライトに用いられる導光板等の薄型化等が図られると共に、液晶パネルや導光板等を支持する支持フレームについても、支持フレームを樹脂成形したり、支持フレームを箱状ではなく枠状にしたり、枠状支持フレームの補強フレーム（例えば枠内において支持フレームと平行に設けたフレーム）を削減する等して、極限まで薄型化、軽量化等が図られている。
【０００７】
このような液晶モジュールの薄型化、軽量化、狭額縁化に伴い、枠状の支持フレームに関する新たな問題が発生してきた。まず支持フレームを樹脂で形成しているため、支持フレーム自体がねじれ易くなっている。また補強フレームを削減することでさらにねじれ易くなっている。また特許文献１のように支持フレームを構成する部材を結合ネジで止めたり、特許文献２のように支持フレームにフレーム板をネジで止めたりすると、ネジを締め付けた方向の応力によって、支持フレームがねじれてしまう。そして支持フレームがねじれた状態で液晶パネルや光学シートを載せると、液晶パネルや光学シートにストレスが加わり、液晶パネルにリップルが生じたり、光学シートに皺が生じたりする等、種々の不具合がでる。
【０００８】
そこで、本発明は液晶モジュールの薄型化、軽量化等に伴う支持フレームのねじれを防止し、表示の際等に不具合が生じない液晶モジュールを提供することを目的とする。
【課題を解決するための手段】
【０００９】
本発明の液晶モジュールは、液晶パネルと、バックライトと、前記液晶パネルと前記バックライトを収納・支持する枠状支持フレームと、を備えた液晶モジュールにおいて、前記枠状支持フレームには該枠状支持フレームに結合される部材を有しており、該部材は該枠支持フレームに加わる応力を相殺する結合手段により該枠状支持フレームに結合されていることを特徴とする。
【００１０】
また本発明の液晶モジュールは、液晶パネルと、バックライトと、前記液晶パネルと前記バックライトを収納・支持する枠状支持フレームと、を備えた液晶モジュールにおいて、前記枠状支持フレームは複数の部材を互いに結合して構成されており、該部材の結合は互いに加わる応力を相殺する結合手段により結合されていることを特徴とする。
【００１１】
また、前記バックライトは、線状光源と、導光板と、ランプハウスを備えており、前記枠状支持フレームに結合される部材は、前記バックライトを構成するランプハウスであることを特徴とする液晶モジュールである。
【００１２】
また、前記バックライトは、線状光源と、導光板と、ランプハウスを備えており、前記枠状支持フレームに結合される部材は、前記ランプハウスを背面側から覆う裏蓋であることを特徴とする液晶モジュールである。
【００１３】
また前記結合手段は、右に回すことで締まる右ネジと、左に回すことで締まる左ネジであることを特徴とする液晶モジュールである。
【００１４】
また前記結合手段は、前記枠状支持フレームのコーナ近傍に形成されていることを特徴とする液晶モジュールである。
【００１５】
また前記液晶パネルと前記バックライトとの間には光学シートは配置されていることを特徴とする液晶モジュールである。
【発明の効果】
【００１６】
上記本発明の液晶モジュールによれば、支持フレームに結合される部材の結合による支持フレームのねじれを防止することができ、また複数の部材を結合して構成される支持フレームのねじれを防止することができ、液晶パネルのリップルの発生や、光学シートの皺の発生を防止する等、液晶モジュールの薄型化、軽量化、狭額縁化に伴う表示の不具合を防ぐことができる。  
【発明を実施するための最良の形態】
【００１７】
以下本発明の実施例について、図面に基づいて説明する。図１は液晶モジュールを背面側から観察した平面図であり、図２は図１のＡ−Ａ部の断面図であり、図３は図１の要部分解斜視図である。なお図２の断面図においては図の下側が図１の背面側を示している。
【００１８】
液晶モジュール１は、液晶パネル１０と、バックライト２０と、複数の光学シート３０と、前面枠４０と、裏蓋５０と、支持フレーム６０を備えている。
【００１９】
液晶パネル１０は、一対のガラス基板１１、１２を液晶材料（図示せず）を挟んで貼り合わせ、ガラス基板１１、１２の向き合う面とは反対側の面にそれぞれ偏光板（図示せず）が貼り付けられている。
【００２０】
バックライト２０は、導光板２１、線状光源２２、ランプハウス２３、反射板２４を備えている。導光板２１は、液晶パネル１０と略同等の大きさを有し、表面に所定のドットパターンなどが形成された矩形状のアクリル板で形成されている。線状光源２２は、導光板２１の長辺側の一側面に沿って配置された冷陰極管である。この線状光源２２の両端にはＬ字状のランプホルダ２２ａを備えている。このランプホルダ２２ａはゴムなどの絶縁性弾性部材で作られている。また線状光源２２の両端からはリード線２２ｂが伸びており、このリード線２２ｂは端部に形成されたコネクタ部（図示せず）を介して液晶モジュール１の外部に配置されるインバータ基板（図示せず）に接続されている。
【００２１】
ランプハウス２３は、線状光源２２全体を覆うように断面がコの字状を備えた板金製のものである。ランプハウス２３は線状光源２２を内部に保持すると共に、導光板２１の側面を挟み込むように配置されている。反射板２４は導光板２１の背面側を覆う大きさで、線状光源２２からの光が導光板２１の背面側から液晶モジュール１の外部へ漏れ出さないようにするために配置されており、導光板２１とランプハウス２３との間、および裏蓋５０、支持フレーム６０によって支持・固定されている。  
【００２２】
複数の光学シート３０は、液晶パネル１０とバックライト２０の間に配置されており、例えば拡散シート３１と、プリズムシート３２からなり、導光板２１から液晶パネル１０側へ出光した光の均一性、及び指向性を高めるため等に用いられるものである。この光学シート３０の配置は任意であるが、必要に応じて拡散シート３１やプリズムシート３２と同様或は異なるシート類をより多く積層配置してあってもよい。
【００２３】
前面枠４０は、金属製で、断面Ｌ字状のアングル部分を液晶パネル１０の外郭に沿って額縁状に配置した構成をしている。また裏蓋５０は、ランプハウス２３を覆うようにランプハウス２３の背面側に配置されている。裏蓋５０の材料としては金属や樹脂を用いることができるが、特に金属を用いることにより液晶モジュール１の強度を保持することができる。具体的にはステンレス鋼を用いており、ステンレス鋼は強度や成形性の点で好適である。
【００２４】
支持フレーム６０は、液晶パネル１０、バックライト２０、光学シート３０を支持・収納するベースとなるものである。この支持フレーム６０は額縁状の一体ものの枠体である。支持フレーム６０は、液晶モジュール１の軽量化、薄型化、狭額縁化を図るため、また支持フレームが液晶パネル１０に接続される制御基板（図示せず）等を支持・収納するため細部において複雑な形状となるため、樹脂成形により作られている。
【００２５】
支持フレーム６０の一方の長辺側６１ａには線状光源２２、ランプハウス２３等が配置されることとなっており、支持フレーム６０の両短辺側６２ａ、６２ｂの背面側には、線状光源２２近傍において、それぞれ二つのネジ穴からなる結合部６３ａ、６３ｂ、６３ｃ、６３ｄが設けられている。なお図３において結合部６３ｃは、ランプハウス２３に隠れた状態で示しているために図示していないが、結合部６３ｃの位置は後述するネジ７０ｃに対応する位置である。またこの結合部６３ａ、６３ｂ、６３ｃ、６３ｄの位置に対応してランプハウス２３にもネジが貫通するための結合部２３ａ、２３ｂ、２３ｃ、２３ｄが設けられており、裏蓋５０にもネジが貫通するための結合部５０ａ、５０ｂ、５０ｃ、５０ｄが設けられている。なお図３において結合部２３ｃは裏蓋５０に隠れた上体で示しているため図示していないが、結合部２３ｃの位置は裏蓋５０の結合部５０ｃに対応する位置である。そして各部材の結合部を介してネジ７０ａ、７０ｂ、７０ｃ、７０ｄによりランプハウス２３、裏蓋５０を支持フレーム６０に結合することで、個々では強度的に不十分な部品を相互に結合することで液晶モジュール１の全体の強度を増し、曲げ剛性、耐衝撃強度の増強を行っている。
【００２６】
さて、先に述べたように、現在の市場では、液晶モジュールの薄型化、軽量化、狭額縁化が図られており、モバイル用途であるノートパソコン用のモニター等に使用される液晶モジュールはその傾向が顕著である。かかる薄型化、軽量化、狭額縁化が図られると、上記構成において、支持フレーム６０が極限まで軽量化等されるため、ランプハウス２３、裏蓋５０を支持フレーム６０にネジ止めする際に、ネジを締め付けた方向の応力によって支持フレーム６０自身がねじれてしまうおそれがある。支持フレーム６０は液晶モジュール１を組み立て際に、液晶パネル１０等を収納・支持のベースとなるため、支持フレーム６０のねじれは液晶パネル１０にリップルが生じたり、光学シート３０に皺が生じたりする直接の原因となってしまう。
【００２７】
そこで、本発明においては、通常であればネジ７０ａ、７０ｂ、７０ｃ、７０ｄは同一のもの、或はネジの長さが若干異なるようなものを用いる程度で、締まる方向は同様なネジを用いるのであるが、ネジ７０ａ、７０ｃは右に回すことで締まる右ネジを用い、そしてネジ７０ｂ、７０ｄは左に回すことで締まる左ネジを用いている。
【００２８】
すなわち、締まる方向が異なる二種類のネジを用いることにより、例えば右ネジを回すことで支持フレーム６０に加わった応力による支持フレーム６０のねじれを、左ネジを回すことで支持フレーム６０に反対方向の応力を加え支持フレーム６０のねじれを相殺することができ、結果的に液晶パネル１０のリップルの発生や、光学シート３０の皺の発生を防止する等、液晶モジュール１に生じる表示の不具合を防ぐことができることに着目したのである。
【００２９】
ところで、締まる方向が異なる二種類のネジを用いるということは、当然ながら部品（ネジ）の共通化ができない、組み立て時に２種類のネジを区別しなければならず組み立て性が悪化するといったマイナス面もあり、一般的にはかかる着想には至らないが、本発明では締まる方向が異なる二種類のネジを用いるという斬新な構成の着想により支持フレーム６０のねじれの相殺という上記マイナス面を補っても余りある顕著な効果を奏することができることとなった。
【００３０】
本実施例においては、ネジ７０ａ、７０ｃは右ネジ、ネジ７０ｂ、７０ｄは左ネジという組合せを用いたが、例えばネジ７０ａ、７０ｂを右ネジ、ネジ７０ｃ、７０ｄを左ねじという組合せであってもよく、支持フレーム６０に部材を結合する際に支持フレーム６０に加わる応力を相殺する結合手段が用いられていればよい。なお支持フレーム６０に加わる応力を相殺する結合手段として、締まる方向が異なる右ネジと左ネジについて記載したが、この他弾性力を用いて結合するものなどが考えられるが、結合作業の容易性の面などからはネジが好ましい。
【００３１】
また、支持フレーム６０に部材を固定する場合だけでなく、支持フレーム６０が例えば四つの辺に対応した四つの部材から構成されている場合であっても、支持フレーム６０を構成する部材同士を結合する際に、その結合部において右ネジと左ネジを用いることで支持フレーム６０のねじれを防止することができる。
【００３２】
また、このような支持フレーム６０に加わる応力を相殺する結合手段は、支持フレーム６０の各辺の中心近傍より、各辺の端部近傍、つまり支持フレーム６０のコーナ近傍に用いた方が効果的である。これは支持フレーム６０の各辺の中心近傍で支持フレーム６０に影響する応力は小さいの対して、支持フレーム６０の各辺の端部近傍では支持フレーム６０に影響する応力が大きいためである。したがって、本実施例において支持フレーム６０の短辺６２ａ側の中心近傍に設けられている結合部６４ａ、６４ｂは液晶パネル１０と電気的に接続するゲート基板（図示せず）を固定するためのものであるが、右ネジだけを用いて固定している。他方で支持フレーム６０の短辺６２ａ側の端部近傍にある結合部６５ａと、短辺６２ｂの短辺近傍にある結合部６５ｂは、液晶パネル１を駆動するための制御基板（図示せず）を固定するためのものであるが、右ネジだけを用いて固定してはいるが、制御基板を支持フレーム６０に固定することで支持フレーム６０にねじれが生じる場合には、例えば６５ａには右ネジ、６５ｂには左ネジを用いて固定することで、支持フレーム６０に制御基板を固定することにより加わる応力を相殺してもよい。  
【００３３】
なお、ランプホルダ２２ａを介して線状光源２２の両端から伸びるリード線２２ｂは、線状光源２２に沿ってランプハウス２３と支持フレーム６０の長辺６１ａとの間に配設されている。そして裏蓋５０に設けた開口部を介して液晶モジュール１の外部に導かれる。また支持フレーム６０の短辺６２ａ、６２ｂ側には、支持フレーム６０内部に一部突出部６７を設け、この突出部６７により、導光板２１、反射板２４等を液晶モジュール１の背面側から支えている。  
【図面の簡単な説明】
【００３４】
【図１】本発明の液晶モジュールを背面側から観察した平面図である。
【図２】図１のＡ−Ａ部の断面図である。
【図３】本発明の液晶モジュールの要部分解斜視図である。
【符号の説明】
【００３５】
１    液晶モジュール
１０  液晶パネル
２０  バックライト
２３  ランプハウス  
３０  光学シート
５０  裏蓋
６０  支持フレーム
６３ａ、６３ｂ、６３ｃ、６３ｄ  結合部
７０ａ、７０ｂ  右ネジ
７０ｃ、７０ｄ  左ネジ
【図１】
2005283863.tif 000003
【図２】
2005283863.tif 000004
【図３】
2005283863.tif 000005